(57)【特許請求の範囲】
【請求項１】
盛立材の透水度を測定する測定手段と、該測定手段により測定された測定データを記録する記録手段と、該記録手段により記録された測定データを用いて所定の計算を行う計算手段と、前記記録手段の測定データ及び該計算手段によって算出されたデータを所定の表示方法で表示する表示手段とを備えた透水試験装置であって、該透水試験装置の前記計算手段は少なくとも測定開始時点から所定時点までの累計測定データを用いて計算する累計透水係数と、所定時点から次の所定時点に於ける区間測定データを用いて計算する区間透水係数とを計算するように構成されている透水試験装置であり、上記記録手段は上記測定データのうち設定された時点の測定データを選択して記録するように構成されていると共に、上記表示手段は少なくとも上記累計透水係数及び上記区間透水係数をドロップダウンリストボックスによって経時的に及び／又はリアルタイムに表示する透水試験装置であり、且つ、上記ドロップダウンリストボックスで表示される数値は所定時点と該所定時点に直近の複数時点に於ける区間透水係数であることを特徴とする透水試験装置。
【発明の詳細な説明】
【０００１】
【発明の属する技術分野】
この発明は、透水試験装置に関するものであり、特に、ロックフィルダム等を構築するための土質材料や岩砕材料等から成る盛立材の透水係数を測定するための透水試験装置に関するものである。
【０００２】
【従来の技術】
此種透水試験装置を本出願人は既に出願（特願２０００−２１０２２６）しており、該出願を図７乃至図９に従って説明する。図７に於て、１はロックフィルダムのコア部やフィルタ部或いはロック部を盛り立てて構築する時、盛立材の透水係数を測定するための透水試験装置であり、該透水試験装置１は盛立材２に掘削された試験孔３内に設置されて該試験孔３内の水位を測定する水位計４を備え、該水位計４には該水位計４の信号を測定データに変換する信号変換器５が接続されている。
【０００３】
更に、前記試験孔３にバルブ６を介して水を供給する定水位タンク７が設けられ、該定水位タンク７内には該定水位タンク７内の水位を測定する水位計８を備え、該水位計８には該水位計８の信号を測定データに変換する信号変換器９が接続されている。そして、前記信号変換器５，９は測定データを記録するデータロガー１０に接続され、該データロガー１０は測定データの解析、表示及び出力等を行うパソコン（パーソナルコンピュータ）１１に接続されている。尚、図に於て１２は前記定水位タンク７の水Ｗを強制的に圧力をつけて前記試験孔３に給水するための差圧ポンプである。
【０００４】
而して、前記透水試験装置１を用いて定水位透水試験を行う時は、先ず、盛立材２に所定径で所定深さの試験孔３を掘削し、該試験孔３内に前記水位計４を設置する。次に、前記試験孔３及び前記定水位タンク７に水Ｗを満たし、該試験孔３の初期水面に対して前記水位計４をセットすると共に、前記定水位タンク７の初期水面に対して前記水位計８をセットする。
【０００５】
そして、前記試験孔３内の水Ｗが前記盛立材２に吸収されて水位が下がった時、前記水位計４の測定結果が前記信号変換器５に伝達され、該信号変換器５からの指示により前記バルブ６を調整して前記定水位タンク７内の水Ｗを前記試験孔３内に給水し、該試験孔３内の水Ｗが常に一定になるように制御する。
【０００６】
更に、該定水位タンク７内及び該試験孔３の水位を同一試験時に於て任意に設定できる数種類の一定時間間隔で計測し、その水位信号を前記信号変換器５，９によって測定データに変換して前記データロガー１０に記憶させ、該データロガー１０に蓄積された測定データを前記パソコン１１で解析し、その結果を表示又は出力する。
【０００７】
又、前記透水試験装置１を用いて変水位透水試験を行う時は、前記バルブ６、前記定水位タンク７、前記水位計８、前記信号変換器９及び差圧ポンプ１２を取り除き、前記試験孔３に水Ｗを満たした後、前記バルブ６を閉じて給水を止め、前記試験孔３の初期水面に対して前記水位計４をセットする。
【０００８】
そして、前記試験孔３内の水Ｗが前記盛立材２に吸収されて水位が下がっても、給水することなく、前記試験孔３内の水位を水位計４によって同一試験時に於て任意に設定できる数種類の一定時間間隔で計測し、その水位信号を前記信号変換器５によって測定データに変換して前記データロガー１０に記憶させる。更に、該データロガー１０に蓄積された測定データをパソコン１１で解析し、その結果を表示及び出力する。
【０００９】
図８は前記透水試験装置１の処理フローを示したものであり、該処理フローについて説明すると、先ず、定水位透水試験に於ては、試験孔水位測定及び定水位タンク水位測定を行い（Ｓ１，Ｓ２）、測定された全測定データを記録し（Ｓ３）、記録された測定開始時点から所定時点までの累計測定データ（累積透水量等）をもとに後述する累計透水係数計算を行う（Ｓ４）。
【００１０】
該累計透水係数は測定開始時点から所定時点までの累積透水量等の累計測定データを用いて算出する透水係数であり、該透水係数は種々の規定された算出式によって算出される。例えば、算出式の１例として以下の式が用いられる。尚、該算出式の一定流入量は前記累計測定データを用いて求められる単位時間当たりの平均透水量である。
【００１１】
ｋ＝Ｑ／２πｈ３｛ｈｓｉｎｈ−１（ｈ／ｒ）―（ｒ２＋ｈ２）１／２＋ｒ｝
0003629002.tif 000002
次に、前記測定データ及び該累計透水係数計算結果データをもとに表示用の処理を行う（Ｓ５）。これによって、前記パソコン１１の表示手段には試験孔水位、定水位タンク水位、透水量、累計透水係数が選択的に表で表示され（Ｓ６）、又は、グラフで表示される（Ｓ７）。又、前記累計透水係数がリアルタイムに表示される（Ｓ８）。
【００１２】
これらの表示は同一画面で適宜組合わせて表示でき、又、該表示はプリント出力することも可能である。そして、前述の処理は繰返される。
又、変水位透水試験を行う時は、前記定水位透水試験の各処理のうち、前記定水位タンク水位測定は行われず、従って、前記定水位タンク水位に関する表示は行われない。
【００１３】
図９は定水位透水試験に於ける前記表示方法の一例であり、上図に試験孔水位及び定水位タンク水位のグラフ表示がなされ、下図に累計透水係数のグラフ表示及び累計透水係数のリアルタイム数値表示がなされている。
【００１４】
【発明が解決しようとする課題】
上記先願の透水試験装置は、自動的に透水試験の測定を行い、測定された全測定データを記録し、該測定記録データをもとに所定の計算及び処理を行った後、表示手段によって試験孔水位、定水位タンク水位、透水量、累計透水係数を選択的に表、又は、グラフ表示し、更に、所定時点の累計透水係数をリアルタイム表示する。これらの表示は同一画面で適宜組合わせて表示でき、又、表示データをプリント出力することも可能である。
【００１５】
然しながら、前記透水試験装置は、全測定データを記録するため、大量の測定データを記録することとなり、処理が煩雑になると共に、大量のメモリーを必要とする。
又、前記累計透水係数は時間が経つにつれ、安定状態となり一定値に収束する傾向が見られるが一定値にならないため、測定の終了の判断が困難であり、測定時間が長時間に及ぶ虞があった。
【００１６】
そこで、盛立材の透水試験に於て、試験作業を簡素、且つ、容易にすると共に、試験作業時間の短縮化を図るために解決すべき技術的課題が生じてくるのであり、本発明はこの課題を解決することを目的とする。
【００１７】
【課題を解決するための手段】
本発明は上記目的を達成するために提案されたものであり、盛立材の透水度を測定する測定手段と、該測定手段により測定された測定データを記録する記録手段と、該記録手段により記録された測定データを用いて所定の計算を行う計算手段と、前記記録手段の測定データ及び該計算手段によって算出されたデータを所定の表示方法で表示する表示手段とを備えた透水試験装置であって、該透水試験装置の前記計算手段は少なくとも測定開始時点から所定時点までの累計測定データを用いて計算する累計透水係数と、所定時点から次の所定時点に於ける区間測定データを用いて計算する区間透水係数とを計算するように構成されている透水試験装置であり、上記記録手段は上記測定データのうち設定された時点の測定データを選択して記録するように構成されていると共に、上記表示手段は少なくとも上記累計透水係数及び上記区間透水係数をドロップダウンリストボックスによって経時的に及び／又はリアルタイムに表示する透水試験装置であり、且つ、上記ドロップダウンリストボックスで表示される数値は所定時点と該所定時点に直近の複数時点に於ける区間透水係数である透水試験装置を提供するものである。
【００１８】
【発明の実施の形態】
以下、本発明の一実施の形態を図１乃至図６に従って詳述する。尚、説明の都合上、本出願人の先願に係る上記装置と同一の構成については同一符号を付して説明し、且つ、該装置の説明に用いた図７は本発明にも共通しているので、これらの図面についても同時に説明するものとする。
【００１９】
図１に於て、１３は透水試験装置であり、該透水試験装置１３は、図７に示す先願の透水試験装置１に於て、試験孔３内の水位を測定する水位計４及び定水位タンク７内の水位を測定する水位計８等を備えた測定手段１４と、該測定手段１４で測定した信号を測定データに変換するための信号変換器５，９及び該測定データを記録するデータロガー１０等を備えた記録手段１５と、該記録手段１５の測定データを解析、計算、表示及び出力するパソコン１１を備えた計算手段１６と、該計算手段１６の結果及び前記記録手段１５の測定データを表示するパソコン１１のディスプレイ（図示せず）からなる表示手段１７とで構成されている。
【００２０】
而して、前記透水試験装置１３の前記計算手段１６は測定開始時点から所定時点までの累積透水量等の累計測定データを用いて計算する累計透水係数計算と、所定時点から次の所定時点に於ける区間累積透水量等の区間測定データを用いて計算する区間透水係数計算とを行うように構成されている。
【００２１】
図２は前記透水試験装置１３の処理フローを示したものであり、該処理フローを図１と共に説明すると、先ず、定水位透水試験に於ては、前記測定手段１４で試験孔水位測定、及び、定水位タンク水位測定を行い（Ｓ１１，Ｓ１２）、測定されたデータから、予め設定されたデータ記録間隔の設定（Ｓ１３）に基づき記録するかどうかの判断をして選択し（Ｓ１４）、記録しない場合は再度前記水位測定（Ｓ１１，Ｓ１２）に戻り、記録する場合は測定データを前記記録手段１５に記録し（Ｓ１５）、次に、該記録データをもとに前記計算手段１６で累計透水係数計算（Ｓ１６）、及び、区間透水係数計算を行い（Ｓ１７）、更に、記録された前記測定データ、該累計透水係数及び該区間透水係数をもとに表示用の処理を行う（Ｓ１８）。
【００２２】
従って、前記表示手段１７には、例えば、試験孔水位、定水位タンク水位、透水量、累計透水係数及び区間透水係数が選択的に表で経時的に数値表示され（Ｓ１９）、又は、経時的にグラフ表示され（Ｓ２０）、或いは、最新の累計透水係数がリアルタイム表示され（Ｓ２１）、又は、最新の区間透水係数が後述するドロップダウンリストボックスでリアルタイム表示される（Ｓ２２）。
【００２３】
これらの表示は同一画面で適宜組合わせて表示することが可能であり、又、該表示はプリント出力することも可能である。そして、前述の処理は繰返される。図３は前記表示又は出力の一例として、前記データ記録間隔設定にもとづいて出力された測定データ及び該測定データにより求めた計算結果を示す表であり、該表は透水係数について種々の規格に基づく算出式で求めた数値で示している。
【００２４】
そして、該表に於ては、試験開始時点から試験開始１２０秒時点までは２秒間隔で測定結果及び計算結果が示され、試験開始１２０秒時点から３６０秒時点までは１０秒間隔で測定結果及び計算結果が示されている。この示された間隔が記録間隔に相当し、この記録間隔設定は任意に設定可能であり、例えば、透水量が安定してきた時、該記録間隔設定を長くすることができる。これによって、記録データ量を大幅に減少させることができ、試験作業を簡素、且つ、容易にすると共に、記録メモリー等の使用量を低減させることができる。
【００２５】
図４は前記表示又は出力の一例として、３つの試験孔についての測定データ及び計算結果を表及びグラフによって表示したものであり、且つ、３つの試験孔に於ける平均透水係数を示したものである。
図５も前記表示又は出力の一例として、画面のウインドウにグラフで試験孔水位、定水位タンク水位、累計透水係数及び区間透水係数を経時的に表示したものであり、更に、最新の累計透水係数をリアルタイムで表示し、最新の区間透水係数をドロップダウンリストボックスでリアルタイム表示したものである。
【００２６】
該ドロップダウンリストボックスは図６に示すように、ボックス内に最新の区間透水係数が表示され、該ボックスの右に表示されるボタンをクリックするとドロップダウンリストが開き、最新の区間透水係数の直近の５個の区間透水係数が新しい順に上から下に表示される。尚、表示される該区間透水係数は５個に限定されるものではなく、任意の数に設定変更可能である。
【００２７】
斯くして、本発明は、前述の如く、区間透水係数を計算し表示することができるが、該区間透水係数は透水量が定常状態になった時は、直近の区間透水係数が一定値になり、従って、グラフに於ても、該区間透水係数を示す線が水平状態に表示され、透水量が定常状態になったことが判別し易い。この状態は、前記ドロップダウンリストボックスのドロップダウンリストに於いて、区間透水係数が同じ値を示し、又は、略同様な値を示すことによって確認することができる。
【００２８】
このため、グラフに於て区間透水係数を示す線が水平状態に表示された時、及び、該区間透水係数が前記ドロップダウンリストボックスに於て一定値又は略一定値になったことが確認された時、透水試験終了の目安とすることができ、又、該確認は容易であるため、これによって、試験装置の試験時間を大幅に短縮することができ、大幅な合理化及び省力化が期待できる。
【００２９】
尚、本発明は、本発明の精神を逸脱しない限り種々の改変を為すことができ、そして、本発明が該改変されたものに及ぶことは当然である。
【００３０】
【発明の効果】
本発明は上記一実施の形態に詳述したように、透水試験装置の計算手段が少なくとも測定開始時点から所定時点までの累計測定データを用いて計算する累計透水係数と、所定時点から次の所定時点に於ける区間測定データを用いて計算する区間透水係数とを計算するように構成されているから、特に区間透水係数を計算し、表示・出力することにより、前記区間透水係数が一定値又は略一定値になったことが上記ドロップダウンリストボックスの表示で確認された時、透水試験終了の目安とすることができ、又、該確認は容易であるため、これによって、試験装置の試験時間を大幅に短縮することができ、大幅な合理化及び省力化が期待できる。
【００３３】
又、本発明は、上記表示手段が少なくとも上記累計透水係数及び上記区間透水係数をドロップダウンリストボックスによって経時的に及び／又はリアルタイムに表示すると共に、上記ドロップダウンリストボックスで表示される数値は所定時点と該所定時点に直近の複数時点に於ける区間透水係数であるので、累計透水係数及び区間透水係数の確認が容易になり、区間透水係数が一定値になったことが容易に確認できることに加え、更に、前記所定時点と該所定時点に直近の複数時点の区間透水係数を数値で確認できるため、該透水係数が一定或いは一定に近い状態になったことの確認がより正確に行える等、正に著大な効果を奏する発明である。
【図面の簡単な説明】
【図１】本発明の一実施の形態を示し、透水試験装置の概念図。
【図２】本発明の一実施の形態を示し、透水試験装置の処理フローチャート図。
【図３】本発明の一実施の形態を示し、測定データ及び計算結果を表にした説明図。
【図４】本発明の一実施の形態を示し、測定データ及び計算結果を表及びグラフにした説明図。
【図５】本発明の一実施の形態を示し、測定データ及び計算結果をグラフ及びリアルタイムの数値で表示した説明図。
【図６】本発明の一実施の形態を示し、区間透水係数をドロップダウンリストボックスで表示した説明図。
【図７】先願の一実施の形態を示し、透水試験装置の概念図。
【図８】先願の一実施の形態を示し、透水試験装置の処理フローチャート図。
【図９】先願の一実施の形態を示し、測定データ及び計算結果をグラフ及びリアルタイムの数値で表示した説明図。
【符号の説明】
２          盛立材
１３          透水試験装置
１４          測定手段
１５          記録手段
１６          計算手段
１７          表示手段
【図１】
0003629002.tif 000003
【図２】
0003629002.tif 000004
【図３】
0003629002.tif 000005
【図４】
0003629002.tif 000006
【図５】
0003629002.tif 000007
【図６】
0003629002.tif 000008
【図７】
0003629002.tif 000009
【図８】
0003629002.tif 000010
【図９】
0003629002.tif 000011